(57)【特許請求の範囲】
【請求項１】
複数の誘導加熱コイル及びこれらを制御するインバータユニットと、
これら誘導加熱コイル及びインバータユニットの下方に配設されたロースタ及び電装品と、
１個のファンモータと、
このファンモータにより回転される冷却ファンとを具備し、
前記ファンモータにより回転される前記冷却ファンの送風作用により、前記インバータユニットと前記電装品とを並列に冷却する構成とし、
加えて、前記冷却ファンから前記インバータユニット側へ供給される風を当該インバータユニットと前記複数の誘導加熱コイルとに並列に案内する冷却ダクトを設けると共に、この冷却ダクトに、前記冷却ファンからの風を当該冷却ファンから遠い側の誘導加熱コイルへ案内する補助ダクトを設けたことを特徴とする加熱調理器。
【請求項２】
複数の誘導加熱コイル及びこれらを制御するインバータユニットと、
これら誘導加熱コイル及びインバータユニットの下方に配設されたロースタ及び電装品と、
１個のファンモータと、
このファンモータにより回転される冷却ファンとを具備し、
前記ファンモータにより回転される前記冷却ファンの送風作用により、前記インバータユニットと前記電装品とを並列に冷却する構成とし、
加えて、前記冷却ファンから前記インバータユニット側へ供給される風を当該インバータユニットと前記複数の誘導加熱コイルとに並列に案内する冷却ダクトを設け、
さらに、前記冷却ファンからの風を前記インバータユニット側と下方の前記電装品側とに分ける分岐部に前記風を前記インバータユニット側へ案内する傾斜面を設けると共に、前記冷却ダクトにあって前記傾斜面のほぼ延長線上となる部位に、前記風を前記誘導加熱コイル側へ案内する吐出用開口部を設けたことを特徴とする加熱調理器。
【請求項３】
冷却ファンからの風をインバータユニット側と下方の電装品側とに分ける分岐部に前記風を前記インバータユニット側へ案内する傾斜面を設けると共に、冷却ダクトにあって前記傾斜面のほぼ延長線上となる部位に補助ダクトの流入口を設けたことを特徴とする請求項１記載の加熱調理器。
【請求項４】
冷却ファンは、遠心ファンで、かつ上下両吸い込みの構成であることを特徴とする請求項１ないし３のいずれかに記載の加熱調理器。
【請求項５】
冷却ファンにおける羽根の仕切位置と、冷却ファンからの風をインバータユニット側と下方の電装品側とに分ける分岐部との位置が上下方向にずれていることを特徴とする請求項４記載の加熱調理器。
【請求項６】
冷却ファンにおける羽根の仕切位置が、分岐部に対して上側にあることを特徴とする請求項５記載の加熱調理器。
【請求項７】
冷却ファンは、遠心ファンで、かつ下側からの片吸い込みの構成であることを特徴とする請求項１ないし３のいずれかに記載の加熱調理器。
【請求項８】
冷却ファンは、遠心ファンで、かつ下側からの片吸い込みまたは上下両吸い込みの構成とし、また、前記冷却ファンが吸入する空気をその冷却ファンへ案内する吸気ダクトを備え、
この吸気ダクトに水受け部を設けると共に、この水受け部からファンモータ側へ水がかかることを規制する水返し部を設けたことを特徴とする請求項１または２記載の加熱調理器。
【請求項９】
水受け部の底部に水抜き孔を形成し、この水抜き孔から流れる水を下部ユニットのケースで受ける構成とする共に、このケースの底部に水抜き孔を形成し、そのケースの下方に、このケースの水抜き孔から流れる水を受ける水受け板を設けたことを特徴とする請求項８記載の加熱調理器。
【請求項１０】
冷却ファンを囲繞するファンケーシングの外側に、水を受けることが可能な溝部を設けると共に、この溝部に当該溝部にて受けた水をファンモータを避けた部位へ案内する水抜き孔を設けたことを特徴とする請求項１または２記載の加熱調理器。
【請求項１１】
冷却ダクト内に、誘導加熱コイルに対応する複数分のインバータユニットが配置されていることを特徴とする請求項１または２記載の加熱調理器。
【発明の詳細な説明】
【０００１】
【発明の属する技術分野】
本発明は、複数の誘導加熱コイル及びこれらを制御するインバータユニットと、これらの下方に配設されたロースタ及び電装品とを具備した加熱調理器に関する。
【０００２】
【発明が解決しようとする課題】
近年、台所用の加熱調理器においては、防火安全性の向上を目的として、熱源として火を使わない誘導加熱コイルを用いたものが普及し始めている。この種の加熱調理器の従来構成は次のような構成となっている。
【０００３】
加熱調理器は、上部ユニットと下部ユニットとに分けられている。このうちの上部ユニットのケースの上面にはトッププレートが配置されていて、このトッププレートの下側に、２口の誘導加熱コイルと１口のヒータとが配設されている。また、ケースの内部には、２個の誘導加熱コイルに対応してこれらを制御するインバータユニットが２個配置されていると共に、これらインバータユニットを冷却する冷却装置が、インバータユニットに対応して２組設けられている。
【０００４】
各冷却装置は、ファンモータと、このファンモータにより回転される冷却ファンと、この冷却ファンの風をインバータユニットに案内する冷却ダクトとから構成されていて、その冷却ファンの風により対応するインバータユニットを冷却するようになっている。
【０００５】
一方、下部ユニットには、熱源としてヒータを用いたロースタが設けられていると共に、操作パネルが設けられていて、その操作パネルの裏側に制御装置やスイッチなどの電装品が配設されている。
【０００６】
しかしながら、上記した従来の構成のものでは、２個の誘導加熱コイルに対応して２個のインバータユニットがあり、これら各インバータユニットを冷却する冷却装置も２組必要な構成となっているため、コストが高くなるという欠点がある。
【０００７】
ところで、このような加熱調理器の場合、下部ユニットに配設された電装品についても冷却することが好ましいが、従来では、その電装品を強制的に冷却する構成とはなっていない。
【０００８】
そこで、その電装品を冷却するについて、専用の冷却装置を設けて冷却することが考えられるが、これではコストが高くなってしまう。また、上部ユニットにおいてインバータユニットを冷却した風を下部ユニット側へ案内し、その風で上記電装品を冷却することも考えられる。しかしながら、この場合は、インバータユニットを冷却した後の風を使うことになるため、電装品の冷却効率が悪いことになってしまう。
【０００９】
本発明は上記した事情に鑑みてなされたものであり、その目的は、上部側のインバータユニットと下部側の電装品とを、１個のファンモータで、しかも効率良く冷却することができる加熱調理器を提供するにある。
【００１０】
【課題を解決するための手段】
本発明の加熱調理器は、上記の目的を達成するために、複数の誘導加熱コイル及びこれらを制御するインバータユニットと、これら誘導加熱コイル及びインバータユニットの下方に配設されたロースタ及び電装品と、１個のファンモータと、このファンモータにより回転される冷却ファンとを具備し、
前記ファンモータにより回転される前記冷却ファンの送風作用により、前記インバータユニットと前記電装品とを並列に冷却する構成とし、
加えて、前記冷却ファンから前記インバータユニット側へ供給される風を当該インバータユニットと前記複数の誘導加熱コイルとに並列に案内する冷却ダクトを設けると共に、この冷却ダクトに、前記冷却ファンからの風を当該冷却ファンから遠い側の誘導加熱コイルへ案内する補助ダクトを設けたことを特徴とするものである（請求項１の発明）。
【００１１】
上記した構成においては、上部側のインバータユニットと下部側の電装品とを、１個のファンモータで冷却することができる。また、それら上部側のインバータユニットも、下部側の電装品も、冷却ファンから送られる冷たい風により冷却することができる。
【００１２】
加えて、冷却ファンからインバータユニット側へ供給される風を当該インバータユニットと複数の誘導加熱コイルとに並列に案内する冷却ダクトを設けると共に、この冷却ダクトに、冷却ファンからの風を当該冷却ファンから遠い側の誘導加熱コイルへ案内する補助ダクトを設けたことにより、誘導加熱コイルも効率よく冷却することができる。
【００１３】
また、同様な目的を達成するために、請求項２の発明の加熱調理器は、複数の誘導加熱コイル及びこれらを制御するインバータユニットと、これら誘導加熱コイル及びインバータユニットの下方に配設されたロースタ及び電装品と、１個のファンモータと、このファンモータにより回転される冷却ファンとを具備し、前記ファンモータにより回転される前記冷却ファンの送風作用により、前記インバータユニットと前記電装品とを並列に冷却する構成とし、
加えて、前記冷却ファンから前記インバータユニット側へ供給される風を当該インバータユニットと前記複数の誘導加熱コイルとに並列に案内する冷却ダクトを設け、
さらに、前記冷却ファンからの風を前記インバータユニット側と下方の前記電装品側とに分ける分岐部に前記風を前記インバータユニット側へ案内する傾斜面を設けると共に、前記冷却ダクトにあって前記傾斜面のほぼ延長線上となる部位に、前記風を前記誘導加熱コイル側へ案内する吐出用開口部を設けたことを特徴とする。
【００１４】
【発明の実施の形態】
以下、本発明の第１実施例について図１ないし図３を参照して説明する。
まず、図２には、本発明の加熱調理器１全体の概略的な構成が示されている。この加熱調理器１は、システムキッチンのキャビネット２に組み込んで使用される構成のものであり、上部ユニット３と、この上部ユニット３の下方に配設された下部ユニット４とから構成されている。
【００１５】
上部ユニット３は、上面にトッププレート５が配設された矩形状のケース６を備えている。このケース６の内部には、トッププレート５の下面と対向するようにして、２個の誘導加熱コイル７，８が前部の左右に並べて配置されていると共に、１個の中央ヒータ９が後部の中央部に配置されている。
【００１６】
また、ケース６内の下部における前部の右寄りの部位には、図１及び図３にも示すように、上記２個の誘導加熱コイル７，８を制御するインバータユニット１０が設けられている。このインバータユニット１０は、２個の誘導加熱コイル７，８に対応する２個分のインバータユニットが一枚のプリント基板１１上にまとめて設けられた構成となっている。プリント基板１１は、図１に示すように基板取付板１２に固定され、プリント基板１１上には、複数個の放熱部材１３が設けられている（図１に１個のみ示されている）。
【００１７】
そして、インバータユニット１０を上方から覆う状態で、冷却ダクト１５が配設されている。なお、プリント基板１１の一部は、冷却ダクト１５からはみ出している。冷却ダクト１５の右後部にはファンケーシング１６が一体に設けられていて、この冷却ダクト１５内とファンケーシング１６の吐出口１６ａとが連通している。冷却ダクト１５の左側部は開放されている。ファンケーシング１６はケース６の右後部に配置されていて、下部の一部がケース６の底部に形成された開口部１７から下方へ突出している。
【００１８】
ケース６の底部下面にはモータ台１８が取り付けられていて、このモータ台１８に、モータ取付板１９を介してファンモータ２０が回転軸２０ａを上向きとした状態で取り付けられている。回転軸２０ａには、遠心ファンからなる冷却ファン２１が取着されていて、この冷却ファン２１が上記ファンケーシング１６内に配置されている。この冷却ファン２１は、主板２２の上下両側に羽根２３を突出させた構成の上下両吸い込み型となっている。
【００１９】
ファンケーシング１６の上面には、冷却ファン２１と対応する部位に上部吸込口２５が形成され、モータ台１８には、冷却ファン２１の下方に対応する部位に下部吸込口２６が形成されていると共に、前部（図１では左側）に下部吐出口２７が形成されている。基板取付板１２の冷却ファン２１側の端部は、冷却ファン２１から吐出される風を上部ユニット３側と下部ユニット４側とに分ける分岐部２８となっていて、この分岐部２８に、図１中、左上がりの傾斜面２９が形成されている。この場合、冷却ファン２１において、羽根２３の上下方向の仕切位置となる主板２２の外周部２２ａは、分岐部２８に対して上側に位置している。
【００２０】
上記冷却ダクト１５の上部には、補助ダクト３０が一体に設けられていると共に、右側の誘導加熱コイル８の近傍に位置する部位に吐出用開口部３１（図３参照）が形成されている。この場合、補助ダクト３０の流入口３０ａ及び吐出用開口部３１は、上記傾斜面２９のほぼ延長線上となる部位に形成されている。補助ダクト３０の吐出口３０ｂは、冷却ファン２１から遠い側の誘導加熱コイルである左側の誘導加熱コイル７の近傍において開口し、吐出用開口部３１は、冷却ファン２１に近い側の誘導加熱コイルである右側の誘導加熱コイル８の近傍において開口している。
【００２１】
ファンケーシング１６の上部には、上部吸込口２５を覆うようにして通気路３４を形成する合成樹脂製の吸込口カバー３５が設けられ、また、ケース６の右側後部に、吸気ダクト３６が設けられている。吸気ダクト３６の下部には、ファンモータ２０を下方から覆うようにカバー３７が一体に設けられている。吸気ダクト３６の上部開口部は吸気口３８となっていて、この吸気口３８の上部には、吸排気カバー３９が配置されている。
【００２２】
吸気ダクト３６内とファンケーシング１６の上部吸込口２５とは、通気路３４を介して連通しており、また、吸気ダクト３６内の下部とモータ台１８の下部吸込口２６との間も連通している。吸気ダクト３６の下部には水受け部４０が設けられていると共に、この水受け部４０からファンモータ２０側へ水がかかることを規制する水返し部４１が設けられている。水受け部４０の底部には、水抜き孔４２が形成されている。
【００２３】
ケース６において、後面の左側には排気口４３（図２参照）が形成されていると共に、前面の左側に前面排気口４４が形成されている。この場合、前面排気口４４の開口面積は、後部の排気口４３の開口面積よりも小さく設定されている。なお、ケース６は、周囲から図示しない外枠により覆われるようになっていて、ケース６内の排気が前面排気口４４から直接前方へは排出されないようになっている。
【００２４】
一方、下部ユニット４は、ケース５０の左側にロースタ５１を備えた構成となっている。ロースタ５１は、ロースタケース５２内にヒータ（図示せず）を配設した構成となっていて、前面に扉５３が設けられている。ロースタケース５２の左側後部には、当該ロースタケース５２内と連通するＬ字形のロースタ用排気ダクト５４が接続されている。ロースタ用排気ダクト５４の立上がり部の前面と、上記排気口４３との間には隙間が形成されていて、排気口４３から排出される排気が、その隙間を通って外部へ排出されるようになっている。
【００２５】
ケース５０の前面の右側には、操作パネル５５が設けられている。操作パネル５５の裏側には電装品収容部５６が形成されていて、この電装品収容部５６に、制御装置や電気部品などの電装品５９が配設されている。そして、上記下部吐出口２７が、この電装品収容部５６に後方から臨んでいる。
【００２６】
下部ユニット４におけるケース５０の底部５０ａの後部は、上記水受け部４０の下方まで延びていて、その水受け部４０の水抜き孔４２から流れた水を受けることができるようになっている。このケース５０の底部５０ａにも水抜き孔６０が形成されていて、ケース５０の下方には、水抜き孔６０から流れ出た水を受けるように水受け板６１が設けられている。
【００２７】
次に上記した構成の作用を説明する。
誘導加熱コイル７，８の一方または双方が使用される時には、ファンモータ２０が通電される。このファンモータ２０により冷却ファン２１が回転されると、この冷却ファン２１の送風作用により、外部の空気が、吸気口３８から吸気ダクト３６及び通気路３４を通り、上部吸込口２５からファンケーシング１６内に吸入される（図１の矢印Ａ参照）と共に、吸気ダクト３６の下部を通り下部吸込口２６からファンケーシング１６内に吸入される（図１の矢印Ｂ参照）。
【００２８】
そして、ファンケーシング１６から吐出される空気（風）は、分岐部２８を境にして、上部ユニット３側と下部ユニット４側とに分けられる。このとき、分岐部２８には傾斜面２９が形成されているので、空気は円滑に流れ、損失は少なくできる。
【００２９】
上部ユニット３側へ吐出された空気は、冷却ダクト１５内を流れて、主にインバータユニット２０を冷却しながら、冷却ダクト１５の左側部の開口部からケース６内に吐出され（図１及び図３の矢印Ｃ参照）、また一部は、吐出用開口部３１から冷却ダクト１５外へ出て、右側の誘導加熱コイル８を冷却するように流れ（図３の矢印Ｄ参照）、さらに一部は、流入口３０ａから補助ダクト３０内を流れ、吐出口３０ｂから補助ダクト３０外へ出て、左側の誘導加熱コイル７を冷却するように流れる（図１及び図３の矢印Ｅ参照）。
【００３０】
この場合、吐出用開口部３１及び補助ダクト３０の流入口３０ａは、分岐部２８の傾斜面２９のほぼ延長線上となる部位に設けているので、風がそれら吐出用開口部３１及び補助ダクト３０の流入口３０ａにも入りやすくなっている。
【００３１】
これらインバータユニット２０、左右の誘導加熱コイル７，８を冷却した空気は、主に通風抵抗が少ない後部の排気口４３から外部へ排出され、一部は前面排気口４４から外部へ排出される。
【００３２】
下部ユニット４側へは、下部吐出口２７から電装品収容部５６内へ向けて吐出される（図１及び図３の矢印Ｆ参照）。そして、電装品収容部５６内に吐出された空気は、制御装置や電気部品などの電装品５９を冷却し、この後、外部へ排出される。
【００３３】
一方、吸気口３８から吸気ダクト３６内へ水がこぼれた場合、その水は、一旦水受け部４０にて受けられ、この水受け部４０の水抜き孔４２から落下して下部ユニット４のケース５０にて受けられ、さらに、このケース５０の水抜き孔６０から落下して、最終的に水受け板６１にて受けられて溜められる。水受け板６１に溜められた水は、自然蒸発することになる。水受け部４０には水返し部４１が設けられているので、吸気ダクト３６内へこぼれた水が多い場合でも、水がファンモータ２０にかかることを極力防止することができる。
【００３４】
上記した実施例によれば、次のような効果を得ることができる。
ファンモータ２０により回転される冷却ファン２１の風で、上部ユニット３のインバータユニット１０と下部ユニット４の電装品５９とを冷却する構成としているので、それら上部ユニット３のインバータユニット１０と下部ユニット４の電装品５９とを１個のファンモータ２０で冷却することができる。
【００３５】
したがって、２個の誘導加熱コイルに対応して２個のインバータユニットがあり、これら各インバータユニットに対応して２組の冷却装置を必要としていた従来構成とは違い、また、下部ユニットの電装品を冷却する専用の冷却装置を設ける場合とは違い、コストを抑えることができるようになる。
【００３６】
また、それら上部ユニット３のインバータユニット１０も、下部ユニット４の電装品５９も、冷却ファン２１から送られる冷たい風により並列に冷却することができるから、それらを良好に冷却することができる。
【００３７】
さらに、上部ユニット３には、冷却ファン２１からの風をインバータユニット１０と２個の誘導加熱コイル７，８とに並列に案内する冷却ダクト１５を設けた構成としているので、それら誘導加熱コイル７，８についても、冷却ファン２１から送られる冷たい風により良好に冷却することができる。
【００３８】
冷却ファン２１としては、遠心ファンで、かつ上下両吸い込みの構成のものを用いるようにしたので、一つのファンで、上部ユニット３側と下部ユニット４側の双方へ風を良好に送ることができる。
【００３９】
ところで、このような構成のものでは、冷却風の必要な風量としては、下部ユニット４側に対して上部ユニット３側の方がはるかに多く必要である（実験上、上部ユニット３側は、下部ユニット４側に対して約５倍必要）。しかも、下部ユニット４側の通風抵抗は少なく、したがって、冷却ファン２１の羽根２３の有効部分は少なくて済む。また、冷却ファン２１の位置としては、風の流れを考えると、上部ユニット３の冷却ダクト１５とほぼ同じ高さとなるようにすることが好ましいが、この場合、上部吸込口２５がある関係で、その上部吸込口２５の上方に、ある程度の距離を確保する必要があるため（好ましくは上部吸込口２５の直径（ベルマウスの直径）の１／２以上）、冷却ファン２１の位置をあまり高くすることはできない。
【００４０】
本実施例では、このような事情を考慮して、冷却ファン２１において、羽根２３の上下方向の仕切位置となる主板２２の外周部２２ａを、分岐部２８に対して上側に位置させたことにより、上部ユニット３側と下部ユニット４側の双方へ風を送るようにしながらも、上部ユニット３側への風量を極力多く確保することができ、上部ユニット３側と下部ユニット４側の双方へ風を効率よく送ることができる。
【００４１】
この場合、冷却ファン２１における仕切位置（主板２２の外周部２２ａ）を、分岐部２８に対して下側に位置させた場合には、下部ユニット４側への風量を多くすることができるようになり、冷却ファン２１における仕切位置を分岐部２８に対して上下方向へ調整することにより、上部ユニット３側と下部ユニット４側への風量のバランスを調整することが可能になる。
【００４２】
図４及び図５は本発明の第２実施例を示したものであり、この第２実施例は上記した第１実施例とは次の点が異なっている。
すなわち、上部ユニット３における冷却ダクト１５の上部において、補助ダクト３０は設けられておらず、冷却ファン２１に近い側（図４において右側）の誘導加熱コイル８の近傍に吐出用開口部３１が２個形成され、また、冷却ファン２１から遠い側（図４において左側）の誘導加熱コイル７の近傍に吐出用開口部６５が１個形成されている。２個の吐出用開口部３１は、傾斜面２９のほぼ延長線上となる部位に形成されている。
【００４３】
また、図５において、ファンケーシング１６において、吸気ダクト３６側の外側に溝部６６が形成されていると共に、この溝部６６に水抜き孔６７が形成されている。水抜き孔６７は、吸気ダクト３６の水受け部４０の上方に位置していて、この水抜き孔６７から流れ出た水は、水受け部４０へ案内される構成となっている。
【００４４】
上記した実施例においても、冷却ファン２１から上部ユニット３側へ送られた風のうち、冷却ダクト１５内を流れる風によりインバータユニット１０が冷却され、また、吐出用開口部３１から出た風により右側の誘導加熱コイル８が冷却され（図４の矢印Ｄ参照）、さらに吐出用開口部６５から出た風により左側の誘導加熱コイル７が冷却される（図４の矢印Ｇ参照）。
【００４５】
また、吸気口３８から吸気ダクト３６内へこぼれた水がファンケーシング１６の外側にかかった場合、その水は溝部６６の水抜き孔６７から流れ出て、ファンモータ２０を避けた部位、この場合、水受け部４０にて受けられるので、水がファンモータ２０にかかることを防止できる。
【００４６】
図６は本発明の第３実施例を示したものであり、この第３実施例は上記した第１実施例とは次の点が異なっている。
すなわち、冷却ファン７０は、主板７１の下側にのみ羽根７２を有する下側からの片吸い込みの構成となっている。この冷却ファン７０を囲繞するファンケーシング７３は、上部ユニット３のケース６内に配設されていて、上部吸込口は形成されていない。ケース６の底部において、冷却ファン７０と対応する部位に下部吸込口７４が形成されていると共に、ファンケーシング７３の吐出口７３ａと対応する部位に下部吐出口７５が形成されている。基板取付部１２における分岐部２８には、図６中、左下がりの傾斜面７６が形成されている。冷却ファン７０を回転させるファンモータ７７は、回転軸７７ａを上向きにした状態で、モータ取付板７８を介してケース６の底部に取り付けられている。
【００４７】
上記した構成において、ファンモータ７７により冷却ファン７０が回転されると、この冷却ファン７０の送風作用により、外部の空気が、吸気口３８から吸気ダクト３６を通り、下部吸込口７４からファンケーシング７３内に吸入される（図６の矢印Ｂ参照）。そして、ファンケーシング７３から吐出される空気（風）は、分岐部２８を境にして、上部ユニット３側と下部ユニット４側とに分けられ（図６の矢印Ｃ，Ｅ，Ｆ参照）、第１実施例と同様に、上部ユニット３側においてはインバータユニット１０と、左右の誘導加熱コイル７，８が並列に冷却され、また、下部ユニット４側においては電装品収容部５６内の電装品５９が冷却される。
【００４８】
上記した第３実施例においては、冷却ファン７０として、下側からの片吸い込みのものを用いるようにしたことにより、第１実施例における上部吸込口２５及び吸込口カバー３５が不要となり、その分、冷却ファン７０の位置を高くすることができ、上部ユニット３における冷却ダクト１５の上部内面とファンケーシング７３の上部内面との高さをほぼ同じ位置に設定することができる。これにより、特に冷却ファン２１からの風がインバータユニット１０に直線的に当たるようになるため、そのインバータユニット１０に対する冷却効率を向上できる。
【００４９】
図７は本発明の第４実施例を示したものであり、この第４実施例は上記した第１ないし第３実施例とは次の点が異なっている。
すなわち、冷却ファンは、遠心ファンからなる第１の冷却ファン８０と、軸流ファンからなる第２の冷却ファン８１とから構成されている。これら第１及び第２の冷却ファン８０，８１は、ファンモータ８２の回転軸８２ａに上下に取着されていて、１個のファンモータ８２により回転されるようになっている。第１の冷却ファン８０は上部ユニット３のケース６内に配置され、第２の冷却ファン８１は、ケース６の下方に配置されている。ファンモータ８２は、モータ取付板８３を介してケース６の底部に取り付けられている。
【００５０】
第１の冷却ファン８０は、主板８４の上側にのみ羽根８５を有する上側からの片吸い込みの構成となっている。この第１の冷却ファン８０を囲繞するファンケーシング８６は、上部ユニット３のケース６内に配設されていて、上部に上部吸込口８７が形成されていると共に、この上部吸込口８７を覆うように吸込口カバー３５が設けられている。吸気ダクト８８は、ケース６の底部に対応する部位までは達しているが、その底部より下方には延びていない。ファンケーシング８６において、吸気ダクト８８側の外側に溝部６６が形成されていると共に、この溝部６６に水抜き孔６７が形成されている。
【００５１】
上記構成において、ファンモータ８２が通電されると、このファンモータ８２により第１及び第２の冷却ファン８０，８１が同時に回転される。このうち、第１の冷却ファン８０の送風作用により、外部の空気が、吸気口３８から吸気ダクト８８を通り、上部吸込口８７からファンケーシング８６内に吸入され（図７の矢印Ａ参照）、そして、ファンケーシング８６から上部ユニット３の冷気ダクト１５側へ吐出される。その吐出された風のうち、冷気ダクト１５内を流れる風によりインバータユニット１０が冷却され、また、吐出用開口部３１及び６５（図４参照）から出た風により左右の誘導加熱コイル７，８が冷却される。
【００５２】
また、第２の冷却ファン８１の送風作用により、当該第２の冷却ファン８１周囲の空気が、矢印Ｈで示すように流れ、その風の一部により電装品収容部５６内の電装品５９が冷却される。
【００５３】
一方、吸気口３８から吸気ダクト３６内へこぼれた水がファンケーシング８６の外側にかかったとしても、その水は溝部６６の水抜き孔６７からケース５０側に案内されるようになるので、この場合でも、水がファンモータ８２にかかることを防止できる。
【００５４】
【発明の効果】
以上の説明から明らかなように、本発明によれば次のような効果を得ることができる。
請求項１の加熱調理器によれば、上部側のインバータユニットと下部側の電装品とを、１個のファンモータで冷却することができるので、コストを抑えることができるようになる。また、それら上部側のインバータユニットも、下部側の電装品も、冷却ファンから送られる冷たい風により良好に冷却することができる。
【００５５】
加えて、冷却ファンからの風をインバータユニットと複数の誘導加熱コイルとに並列に案内する冷却ダクトを設けことにより、複数の誘導加熱コイルについても、冷却ファンから送られる冷たい風により良好に冷却することができる。
【００５６】
さらに、冷却ダクトに補助ダクトを設けたことにより、冷却ファンから遠い側の誘導加熱コイルも、その補助ダクトを介して良好に冷却することができる。
【００５７】
請求項２の加熱調理器においては、特に冷却ダクト内の風が、当該冷却ダクトに設けられた吐出用開口部から冷却ダクトの外部へ良好に吐出されるようになり、これによって誘導加熱コイルを良好に冷却できるようになる。
【００５８】
請求項３の加熱調理器によれば、冷却ダクト内の風が、当該冷却ダクトに設けられた流入口から補助ダクト内へ良好に流入するようになり、ひいてはその補助ダクトを介して誘導加熱コイルを良好に冷却することができるようになる。
【００５９】
請求項４の加熱調理器によれば、冷却ファンとして、遠心ファンで、かつ上下両吸い込みの構成のものを用いるようにしたことにより、一つの冷却ファンで上部側と下部側の双方へ風を良好に送ることができる。
【００６０】
請求項５の加熱調理器によれば、冷却ファンにおける羽根の仕切位置と、冷却ファンからの風を上部のインバータユニット側と下部の電装品側とに分ける分岐部との位置を上下方向に調整することにより、上部側と下部側への風量のバランスを調整することが可能になる。
【００６１】
請求項６の加熱調理器によれば、冷却ファンにおける羽根の仕切位置が、分岐部に対して上側となるように設定することにより、上部側への風量を極力多く確保することができるようになる。
【００６２】
請求項７の加熱調理器によれば、冷却ファンとして、遠心ファンで、かつ下側からの片吸い込みの構成のものを用いるようにしたことにより、上側に吸込口を必要とするものに比べて、冷却ファンの位置を高くすることが可能になり、その冷却ファンの風をインバータユニットに良好に当てることができて、インバータユニットに対する冷却効率を向上できるようになる。
【００６３】
請求項８の加熱調理器によれば、吸気ダクト内へ水がこぼれたとしても、その水がファンモータ側へかかることを極力防止することができる。
請求項９の加熱調理器によれば、吸気ダクト内へ水がこぼれた場合、その水を最終的に水受け板にて受けて溜め、自然蒸発により良好に除去することができる。
【００６４】
請求項１０の加熱調理器によれば、冷却ファンを囲繞するファンケーシングの外側に水がかかった場合、その水を水抜き孔からファンモータを避けた部位に案内することで、水がファンモータにかかることを防止できる。
【００６５】
請求項１１の加熱調理器によれば、冷却ダクト内に、複数の誘導加熱コイルに対応する複数分のインバータユニットを配置することで、そのインバータユニットを良好に冷却することができる。
【図面の簡単な説明】
【図１】本発明の第１実施例を示す要部の縦断側面図
【図２】全体の斜視図
【図３】冷却風の流れを説明するための概略的な斜視図
【図４】本発明の第２実施例を示す図３相当図
【図５】図１相当図
【図６】本発明の第３実施例を示す図１相当図
【図７】本発明の第４実施例を示す図１相当図
【符号の説明】
１は加熱調理器、３は上部ユニット、４は下部ユニット、５はトッププレート、７，８は誘導加熱コイル、１０はインバータユニット、１５は冷却ダクト、１６はファンケーシング、２０はファンモータ、２１は冷却ファン、２２は主板、２２ａは外周部（羽根の仕切位置）、２３は羽根、２５は上部吸込口、２６は下部吸込口、２８は分岐部、２９は傾斜面、３０は補助ダクト、３０ａは流入口、３１は吐出用開口部、３６は吸気ダクト、３８は吸気口、４０は水受け部、４１は水返し部、４２は水抜き孔、４３は排気口、５０はケース、５１はロースタ、５６は電装品収容部、５９は電装品、６０は水抜き孔、６１は水受け板、６７は水抜き孔、７０は冷却ファン、７３はファンケーシング、７４は下部吸込口、７７はファンモータ、８０は第１の冷却ファン、８１は第２の冷却ファン、８２はファンモータ、８６はファンケーシング、８７は上部吸込口、８８は吸気ダクトを示す。
【図１】
0003668597.tif 000002
【図２】
0003668597.tif 000003
【図３】
0003668597.tif 000004
【図４】
0003668597.tif 000005
【図５】
0003668597.tif 000006
【図６】
0003668597.tif 000007
【図７】
0003668597.tif 000008